(57)【要約】      （修正有）【課題】喫煙に当たっての開封作業が容易で且つ喫煙開始時にごみ片をソフトパック（包装体）自体から切り離して捨てなくてもよいようにすることもできる紙巻きたばこ等の物品の包装体を提供する。【解決手段】内部パッケージの天面と側面がなす稜線近傍の前記天面における前記内部シート６の内側面に、前記内部シートを部分的に切り裂いて前記天面の一部６ｅ１を起伏動可能な内部蓋体とする開封ひも４の基端側を貼り付けると共に、前記開封ひも４の先端部分を前記内部シート６を貫通させて前記内部パッケージの外部に露呈させる。さらに、外部パッケージ２Ａの天面２ｅと側面２ａ〜２ｄがなす第２の稜線近傍の前記側面２ａ〜２ｄにおける前記外部シート６の内面に、前記外部シート６における前記第２の稜線近傍を部分的に切り裂いて前記天面２ｅの一部を起伏動可能な外部蓋体とするための開封テープを貼り付け、連通する物品取り出し口を形成可能とする。【選択図】図１４
2018167881.tif 000002
【特許請求の範囲】
【請求項１】
天面、側面及び底面を有する、たばこ等の物品の包装体であって、
前記物品を包装するための内部シートによる内部パッケージと、
前記内部パッケージを外部シートで包装した外部パッケージと、
を備え、
前記内部パッケージの天面と側面がなす稜線近傍の前記天面における前記内部シートの内側面に、前記内部シートにおける前記稜線近傍を部分的に切り裂いて前記天面の一部を起伏動可能な内部蓋体とすることにより前記天面に第１物品取り出し口を形成可能な、開封ひもの基端側を貼り付けると共に、前記開封ひもの自由端としての先端部分を前記内部シートを貫通させて前記内部パッケージの外部に露呈させ、
前記外部パッケージの天面と側面がなす第２の稜線近傍の前記側面における前記外部シートの内面に、前記外部シートにおける前記第２の稜線近傍を部分的に切り裂いて前記天面の一部を起伏動可能な外部蓋体とすることにより前記第１物品取り出し口に連通する第２物品取り出し口を形成可能とするための開封テープを貼り付けた、
ことを特徴とするたばこ等物品の包装体。
【請求項２】
前記開封ひもの前記先端部分は、前記外部パッケージにおける前記外部シートを気密状態に貫通して前記外部パッケージの外部に露呈していることを特徴とする請求項１に記載のたばこ等の物品の包装体。
【請求項３】
前記開封ひもの前記先端部分と前記開封テープの先端部分は一体に結合されていることを特徴とする請求項２に記載のたばこ等の物品の包装体。
【請求項４】
前記内部パッケージは、平面展開状態における前記内部シートの上下端における一対の襟部を上下に襟合わせしてシールした合わせ目が横向きに走る襟合わせシール部分と、平面展開状態の前記内部シートの左右における一対の耳部を折りたたみシールした折りたたみシール部分と、を備えるものとして構成され、前記折りたたみシール部分が前記内部パッケージの天面には位置しないようにした、ことを特徴とする請求項１乃至３のいずれか一項に記載のたばこ等の物品の包装体。
【請求項５】
前記外部パッケージは、平面展開状態における前記外部シートの左右両端の一対の襟部を重ね合わせてシールした合わせ目が縦向きに走る襟合わせシール部分と、平面展開状態における前記外部シートの上下両端における一対の耳部を折りたたみシールした折りたたみシール部分と、を備えるものとして構成され、さらに、前記開封テープ部分は、前記外部シートの内面に、前記襟合わせシール部分における重なった一対の襟部のうちの上に位置する襟部から下に位置する襟部に向かって、前記外部パッケージの側面の回りに横向き平に周回するように貼り付けられてている、ことを特徴とする請求項１乃至４のいずれか一項に記載のたばこ等の物品の包装体。
【請求項６】
前記開封テープ部分は、前記外部シートの内面に、平面展開状態の前記外部シートにおける左右一対の襟部のうちの一方から他方に至るまでの長さを有するものとして貼り付けられていることを特徴とする請求項５に記載のたばこ等の物品の包装体。
【請求項７】
前記開封テープは、前記外部シートの一方の前記襟部において、一方の前記襟部の端から突出した舌片状の把持部を有することを特徴とする請求項５又は６に記載のたばこ等の物品の包装体。
【請求項８】
前記外部パッケージの天面に取り付けられる封かん紙をさらに備え、
前記封かん紙は第１の側面部と第２の側面部とそれらを繋ぐ天面部とによってほぼコの字状のものとして構成され、前記第１の側面部は前記外部パッケージの固着側側面に固着され、前記第２の側面部は、前記内部蓋体及び前記外部蓋体を前記封かん紙と前記外部パッケージの天面との間に折りたたみ状態に収納封止可能なるように、前記外部パッケージにおける前記固着側側面が対向する着脱側側面に対して、接着した接着状態と剥がした剥離状態を任意にとり得るものとして構成されている、
ことを特徴とする請求項１乃至７のいずれか一項に記載のたばこ等の物品の包装体。
【請求項９】
前記内部パッケージを包装する中間パッケージをさらに有し、前記中間パッケージは、中間シートにより、上方が開放し底面にのみ折りたたみシール部分を有するほぼ容器状に構成され、前記内部パッケージと前記内部パッケージを包装する前記中間パッケージとが前記外部パッケージによって包装されていることを特徴とする請求項１乃至８のいずれか一項に記載のたばこ等の物品の包装体。
【請求項１０】
前記内部シートは内側の紙と外側のアルミニウム箔を重ね合わせた内包紙であり、前記外部シートは防湿性のある上包フィルムである、ことを特徴とする請求項１乃至９のいずれか一項に記載のたばこ等の物品の包装体。
【発明の詳細な説明】
【技術分野】
【０００１】
本発明は紙巻きたばこ等の物品の包装体に関する。
【背景技術】
【０００２】
従来紙巻きたばこの個装の包装形態の１つとしてソフトパックと呼ばれる包装体がある。このソフトパックは以下のような構成を有している。即ち、一般には銀紙と称されている紙とアルミニウム箔を貼り合わせた２重構造のアルミ紙を内包紙として準備する。この内包紙で所定数（例えば２０本）の紙巻きたばこを直接的に包装して内部パッケージを作る。この内部パッケージは、内包紙の左右両端の襟部を襟合わせして所望の手段でシールした合わせ目が縦に走る襟合わせシール部分と、上下両端の耳部を折りたたんでシールした天面及び底面における折りたたみシール部分とを有する。この後包か紙による中間パッケージで包装する。この中間パッケージは、包か紙の折りたたみシール部分を下面のみに有し、上方が開放されたいわゆる容器状の紙の箱としての形態を採る。この後内部パッケージの天面の折りたたみシール部分と中間パッケージの上端部分を封かん紙で留める。この後防湿性を有するプラスチック等の透明な上包フィルムで包装して外部パッケージを作る。この外部パッケージにおいても、前記内部パッケージと同様に、一側面に合わせ目が縦に走る襟合わせシール部分が位置しており、天面及び底面に折りたたみシール部分がくる。さらに、前記外部パッケージにおいては、４つの側面の天面近傍における上包フィルムの内面に別体の開封テープを貼り付けている。これにより、この開封テープの端を引っ張ることにより、この開封テープに沿って前記上包フィルムが上下に切り裂かれて外部パッケージの天面部分が切り取り可能となるように構成されている。
【０００３】
このように構成された従来のソフトパックからは以下のようにして紙巻きたばこが取り出しされる。即ち、上述したところからも分かるように、喫煙者が開封テープを引っ張ると、上包フィルムによる外部パッケージは、下部の折りたたみシール部分を含む残存させる本体部分と、捨てられるほぼ天面としての上部の折りたたみシール部分（第１のごみ片）とに切り裂かれ、分断される。天面としての前記折りたたみシール部分を取り除くことにより前記封かん紙で留めた内部パッケージが露呈する。つまり、紙巻きたばこを直接包んだ内包紙による天面としての上部の折りたたみシール部分及び封かん紙が露呈する。前記封かん紙で留めた内部パッケージの天面としての内包紙による上部の折りたたみシール部分のうちの封かん紙の片側を部分的に喫煙者の手で破ることにより、封かん紙で留めた内部パッケージにたばこ取り出し口が開口される。これにより、封かん紙で留めた内部パッケージのうちの残存する内包紙による本体部分に収納された紙巻きたばこの上部のフィルタ部分が露呈する。これにより、包装体としてのソフトパックから紙巻きたばこを取り出すことができるようになる。なお、喫煙者には前記内包紙の一部を切り取る人もおり、この際には切り取った内包紙の一部はごみ（第２のごみ片）として捨てられることになる。
【０００４】
上述したところからわかるように、従来のソフトパックの紙巻きたばこを喫煙する際には、透明な上包フィルムによる外部パッケージの開封作業と、銀紙と呼ばれているアルミ紙による封かん紙で留めた内部パッケージの開封作業の２つの別々の開封作業を順次行わなければならない。また、これらの２つの開封作業に伴って、従来のソフトパックからは、外部パッケージからの上包フィルム（プラスチック等のフィルム）の第１のごみ片が出るのがさけられず、さらには喫煙者によっては封かん紙で留めた内部パッケージの内包紙（アルミ紙）の一部を切り取ってしまう人もおり、この場合には前記一部が第２のごみ片となってしまうこともある。
【発明の概要】
【発明が解決しようとする課題】
【０００５】
このように、喫煙に当たり従来のソフトパックの紙巻きたばこを開封するには、上包フィルム（プラスチック等の透明なフィルム）による外部パッケージの開封作業と、内包紙（アルミ紙）と封かん紙で留めた内部パッケージの開封作業の２つの開封作業を順次行う必要がある。加えて、上記の開封作業に伴って１つ又は２つのごみ片が出るのも避けられない。
【０００６】
本発明は、上記に鑑みてなされたもので、その目的は、喫煙に当たっての開封作業が容易で且つ喫煙開始時にごみ片をソフトパック（包装体）自体から切り離して捨てなくてもよいようにすることもできる紙巻きたばこ等の物品の包装体を提供することにある。
【課題を解決するための手段】
【０００７】
本発明の実施形態の天面、側面及び底面を有する、たばこ等の物品の包装体であって、
前記物品を包装するための内部シートによる内部パッケージと、
前記内部パッケージを外部シートで包装した外部パッケージと、
を備え、
前記内部パッケージの天面と側面がなす稜線近傍の前記天面における前記内部シートの内側面に、前記内部シートにおける前記稜線近傍を部分的に切り裂いて前記天面の一部を起伏動可能な内部蓋体とすることにより前記天面に第１物品取り出し口を形成可能な、開封ひもの基端側を貼り付けると共に、前記開封ひもの自由端としての先端部分を前記内部シートを貫通させて前記内部パッケージの外部に露呈させ、
前記外部パッケージの天面と側面がなす第２の稜線近傍の前記側面における前記外部シートの内面に、前記外部シートにおける前記第２の稜線近傍を部分的に切り裂いて前記天面の一部を起伏動可能な外部蓋体とすることにより前記第１物品取り出し口に連通する第２物品取り出し口を形成可能とするための開封テープを貼り付けた、
ものとして構成される。
【図面の簡単な説明】
【０００８】
【図１】本発明の実施形態としての紙巻きたばこ等の物品の包装体（ソフトパック）の全体構成のうちの外部パッケージ、開封テープ及び封かん紙を示す斜視説明図。
【図２】図１の紙巻きたばこ等の物品の包装体の各構成要素を分離した状態で示す斜視説明図。
【図３】図１の紙巻きたばこ等の物品の包装体の内包紙による内部パッケージの斜視説明図。
【図４】図３の内部パッケージの一部を切り裂いた開封状態の斜視説明図。
【図５】（ａ）、（ｂ）は図３、図４の内部パッケージにおける切り取り紐の内包紙への接着状態を示す斜視説明図及びｂ−ｂ線に沿って切断した断面説明図。
【図６】従来の紙巻きたばこ用ソフトパックの内包紙の平面展開説明図。
【図７】本発明の実施形態の紙巻きたばこ等の物品の包装体の内包紙の平面展開説明図。
【図８】（ａ）図１の封かん紙の斜視説明図、（ｂ）その平面展開説明図。
【図９】本発明の実施形態の紙巻きたばこ等の物品の包装体の上包フィルムの平面展開説明図。
【図１０】図１の紙巻きたばこ等の物品の包装体の上包フィルムによる外部パッケージのみをある方向から見た斜視説明図。
【図１１】図１の紙巻きたばこ等の物品の包装体の上包フィルムによる外部パッケージのみを異なる方向から見た斜視説明図。
【図１２】図１１の外部パッケージにおける一部を切り裂いた開封状態を示す斜視説明図。
【図１３】図１の紙巻きたばこ等の物品の包装体における内部パッケージ及び外部パッケージ２の開封のある過程を示す斜視説明図。
【図１４】図１３の次の過程を示す斜視説明図。
【図１５】図１４の次の過程において、開封作業により生じた各種の部材（内部蓋体、外部蓋体、開封テープ及び開封ひも）を封かん紙と外部パッケージの天面との間に収納した状態（一使用例）を示す斜視説明図。
【発明を実施するための形態】
【０００９】
以下に本発明の実施形態の包装体としてのソフトパックについて説明する。以下において、ソフトパックにおける各構成要素（構成部材）は、特に記述のない場合は、現行のソフトパックにおけるものと材質を含めて同様の構造を採用することができる。
【００１０】
図１は本発明の１つの実施形態としてのソフトパック１における全体的な外観としての外部パッケージ２Ａを主体的に示す斜視説明図である。つまり、この図１においては、理解を容易にするため、実際は上包フィルム２を透かして見えているアルミ紙の内部パッケージ６Ａ（図２）等については図示していない。即ち、この図１では、理解を容易にするため、透明なプラスチック等の上包フィルム２による外部パッケージ２Ａ、前記上包フィルム２の裏側に貼り付けられそれを通して透けて見える開封テープ３、及び外部パッケージ２Ａに取り付けられる封かん紙５を描いており、実際は外部パッケージ２Ａを透かして見えている部材については記載は省略している。図１には、さらに、一側面における合わせ目が縦に走る襟合わせシール部分２Ａ２と天面２ｅにおける折りたたみシール部分２Ａ１と、を示している。
【００１１】
追って詳しく説明するように、本発明の実施形態によるソフトパック１では、開封テープ３（図１）と開封ひも４（図２）を同時に引っ張ることができ、それにより、特に図１３から分かるように、アルミ紙の内包紙（内部シート）６による内部パッケージ６Ａ（図２）と透明なプラスチック等の上包フィルム２による外部パッケージ２Ａ（図２）の両方が同時に切り裂かれ、内部パッケージ６Ａ及び外部パッケージ２Ａのそれぞれにたばこ取り出し口（第１物品取り出し口）６ｇ（図４）、２ｇ（第２物品取り出し口）（図１２）が形成され、紙巻きたばこＣを露呈させて取り出し可能に構成されている。
【００１２】
この実施形態のソフトパック１が既存のソフトパックと異なる点及び優れている点は、追って詳しく説明するが、以下の通りである。封かん紙５が透明なプラスチック等の外部パッケージ２Ａの外側に取り付けられていること（図１）、この封かん紙５は外部パッケージ２Ａに対し一端（５ｂ）を固着し他端（５ａ）を着脱可能として前記一端（５ｂ）をヒンジとして前記他端（５ａ）を起伏動作可能としたこと（図８、図１４）、アルミ紙の内包紙６による内部パッケージ６Ａを切り裂くための開封ひも４（図３）を備えていること、前記切り裂きを容易とするため内部パッケージ６Ａにおいては内包紙６のいわゆる折りたたみシール部分６１が天面にこないように折りたたんでいること（図３）。さらに、本発明の実施形態においては、図１４及び図１５から分かるように、喫煙開始時には、捨てなければならないごみを生じさせなくても良いように、アルミ紙の内包紙６の切り裂いた部分（内部蓋体６ｅ１）と、透明なプラスチック等の上包フィルム２の切り裂いたりあるいはちぎったりした部分（外部２ｅ１）と、開封テープ３と、開封ひも４と、を折りたたんで、封かん紙５と上包フィルム２の天面６ｅとの間に仕舞い込むという使い方ができるようにしたこと。
【００１３】
次に、図２等を参照しながら本発明の実施形態のソフトパック１についてより詳しく説明する。
【００１４】
図２は本発明の実施形態の紙巻きたばこ用ソフトパック１の理解を容易ならしめるためそれの各構成要素を仮想的に分離して示した斜視説明図である。つまり、図２は、ここに示す各構成要素が図２に示す如くに分離可能ということを示しているわけではなく、また、図２から予想されるような順序で組み立てられるということ等を示すものでもない。図２はあくまでも本発明の実施形態の理解を容易ならしめるために各構成要素を説明するための図である。
【００１５】
この図２にから分かるように、ソフトパック１は、内側から、いわゆる一般に銀紙と呼ばれているアルミ紙の内包紙（内部シート）６により構成される紙巻きたばこＣを包装する内部パッケージ６Ａと、包か紙（中間シート）９により構成される上方の開放した容器状の中間パッケージ９Ａと、この中間パッケージ９Ａの形状保持のための、いわゆる封かん紙と同様にコの字状をした、形状保持体としての内部封かん紙９Ｂと、透明なプラスチック等の上包フィルム（外部シート）２により構成される外部パッケージ２Ａと、外部パッケージ２Ａの外側に付設された紙の封かん紙５と、を有する。
【００１６】
次に、先ず、アルミ紙による内部パッケージ６Ａについて説明する。
【００１７】
図３は、この内部パッケージ６Ａの斜視説明図である。この内部パッケージ６Ａを構成する内包紙６の平面展開説明図は図７に示される。図７の内包紙６を折りたたむことにより図３の内部パッケージ６Ａが得られる。この内部パッケージ６Ａにおいては、襟合わせシール部分６２は側面６ａに２つの端部（襟）を上下に重ね合わせたように合わせ目が横向きに走るように現れ、折りたたみシール部分６１は２つの端部（耳部６２ｃ、６２ｄ）を重ね合わせたように側面６ｂ、６ｄに現れ、合わせ目は縦方向に走る。この際周知技術のように内包紙６は当然内側が紙となり、外側がアルミニウム箔となるように折りたたまれる。より詳しくは、図７の内包紙６の上襟部６２ａと下襟部６２ｂとが上下に襟合わせシールされて横方向に走る襟合わせシール部分６２（図３）が形成される。次いで、内包紙６の左右の耳部６２ｃ、６２ｄが折り曲げられシールされて折りたたみシール部分６１、６１が形成される。この図７には紙巻きたばこＣを参考的に表示している。図７においては、一般の折り紙の規則と同様に、点線は谷折りを示し、一点鎖線は山折りを示す。つまり、紙巻きたばこＣを内包紙６に対して図７に示すような向きに配して包装することにより、図３の内部パッケージ６Ａが得られる。
【００１８】
この図３から分かるように、本発明の実施形態では、内部パッケージ６Ａの折りたたみシール部分６１は、従来のソフトパックにおけるものとは異なり、横向きに対向する一対の側面６ｂ、６ｄに現れ、上下に対向する天面６ｅと底面６ｆには現れないようにしている。つまり、本発明の実施形態では、後述するように開封ひも４による内包紙６の切り裂きを容易とすべく、天面６ｅに折りたたみシール部分６１が現れないようにしている。これを実現するため、内包紙６に対し紙巻きたばこＣを図７に示すように配置して包装するようにしている。これにより、内部パッケージ６Ａの天面６ｅにはアルミ紙の内包紙６の重なり合った部分が形成されることはなく、開封ひも４にによってより小さな力で容易に切り裂くことができる。
【００１９】
因みに、既存の内包紙と紙巻きたばこＣとの位置関係の一例は図６に示される。つまり、図６は従来の内包紙の展開説明図を示している。図６のように紙巻きたばこＣを内包紙１０６に配置して包装すると、折りたたみシール部分が内部パッケージの上下に、つまり、天面と底面にきて、開封ひも４による開封がしにくくなるのは避けられない。本発明の実施形態ではこれを回避するようにしている。図６において、１０６ａ、１０６ｂは折りたたみシール部分となる上耳部及び下耳部を、１０６ｃ、１０６ｄは襟合わせシール部分となる向かって左の第１襟部及び向かって右の第２襟部を示している。
【００２０】
再び図７に戻り説明するに、内包紙６の内側面（紙）には、前記開封ひも４が所望の接着剤で、図３の状態において開封ひも４を引っ張ることにより切り裂きやすいように、貼り付けられている（図５（ｂ））。開封時に把持すべき自由端としての先端部分４ａは、内側面（紙）及び外側面（アルミニウム箔）を貫通して図７に示すように内包紙６の裏面側に突出、露呈させている。つまり、開封ひも４の先端部分４ａを、図３から分かるように、内包紙６を貫通させ、内部パッケージ６Ａの外部に、露呈させている。なお、この開封ひも４の先端（先端部分４ａ）は、後述するように、好ましくは、開封テープ３の先端（把持部３ａ）と連結される。アルミ紙の内包紙６の内面に接着されたこの開封ひも４の全体の一斜視図は図５（ａ）に示される。図５（ｂ）は図５（ａ）のｂ−ｂ線に沿って切断した端面の一部を示し、ここには、開封ひも４と内包紙６との接着構造が示される。この図５（ｂ）から分かるように、開封ひも４は内包紙６に対して、内包紙６の切り裂きが容易となるように少量の接着剤２１で接着されている。つまり、未開封の内部パッケージ６Ａを示す図３において、この開封ひも４の先端部分４ａを張ると、図４から分かるように、アルミ紙の内包紙６による内部パッケージ６Ａの天面６ｅの一部が開封ひも４に沿って蓋体（内部蓋体）６ｅ１を形成しつつ容易に切り裂かれ、たばこ取り出し口６ｇが形成されて、紙巻きたばこＣのフィルタの上部切り口が露呈する。つまり、天面６ｅにその一部が起伏動可能な前記蓋体６ｅ１として形成される。なお、図３においては、視覚的に理解を容易にするために、開封ひも４は、内部パッケージ６Ａの天面と３つの６ｅ側面６ａ、６ｂ、６ｃとがなすの３つの稜線６ｈ、６ｉ、６ｊ（第１稜線）に対しやや隙間をもった位置に形成されているが、実際には前記隙間がほとんどない位置に、つまり、これらの稜線６ｈ、６ｉ、６ｊのぎりぎりの位置に形成することもできる。
【００２１】
上述したところから分かるように、アルミ紙の内包紙６を内部パッケージ６Ａの天面６ｅに折りたたみシール部分がこないように折りたたむようにし、且つ、天面６ｅ部分に開封ひも４を貼り付けたため、先にも述べたが、開封ひも４による内包紙６の天面６ｅの切り裂き動作を抵抗が少なく容易に行うことができる。
【００２２】
なお、図４の状態において、開封ひも４は、それを矢印ＡＲの方向に引っ張れば、内包紙６（内部パッケージ６Ａ）から、抜ける（引き抜くことができる）ようにしている。即ち、図５における開封ひもの内包紙６への取り付け状態は、図４において開封ひも４を矢印ＡＲ方向に引っ張るとその基部４ｃが内部パッケージ６Ａ（内包紙６）から抜ける状態としている。この状態においては、内部パッケージ６Ａの天面の一部（蓋体６ｅ１）は、先にも簡単に述べたが、封かん紙５と上包フィルム２の天面６ｅとの間に仕舞い込むように収納することもでき、また手でちぎって捨てることもできる。
【００２３】
図２から分かるように、このように構成した前記内部パッケージ６Ａは、包か紙（中間シート）９による中間パッケージ９Ａで包装される。この中間パッケージ９Ａは、包か紙の折りたたみシール部分を下面のみに有し、上方が開放されたいわゆる容器状の紙の箱としての形態を採る。さらに、中間パッケージ９Ａは、内部パッケージ６Ａを収納した状態において、開放された天面部分に、その天面部分を覆う内部封かん紙９Ｂが取り付けられる。つまり、内部封かん紙９Ｂの一対の側面部９Ｂａ、９Ｂｂが中間パッケージ９Ａの一対の側面部９ａ、９ｂの上方部分に取り付けられる。この内部封かん紙９Ｂにより中間パッケージ９Ａの形状が、たとえ紙巻きたばこＣの本数が減ってきても、適正に保たれることになる。
【００２４】
次に、図２の封かん紙５について説明する。
【００２５】
この封かん紙５は図８（ａ）、（ｂ）により詳しい斜視説明図と平面展開説明図が示される。つまり、この封かん紙５は、図８（ａ）から分かるように、ほぼコの字状に曲げられており、外部パッケージ２Ａを厚さ方向に跨いて対向する一対の側面部５ａ、５ｂと、それらを繋ぐ天面部５ｃとを有するものとして構成されている。この封かん紙５は、平面的に展開して内面側から見た図８（ｂ）からわかるように、一方の側面部５ａの裏面に複数回接着、剥離を繰り返すことが可能な粘着テープ（又は粘着剤層）５ｄが付設されている。他方の側面部５ｂは上包フィルム２による外部パッケージ２Ａおける側面２ｃに固着される。つまり、図１３、図１４から分かるように、封かん紙５は、他方の側面部５ｂが上包フィルム２の側面（固着側側面）２ｃに固着され、一方の側面部５ａが上包フィルム２の側面（着脱側側面）２ａに対し複数回接着と剥離を繰り返し得るようにされている。
【００２６】
次に、図２の透明なプラスチック等の上包フィルム（外部シート）２の外部パッケージ２Ａについて説明する。
【００２７】
この外部パッケージ２Ａの平面展開説明図は図９に示される。この図９においても、点線は谷折りを、一点鎖線は山折りを示している。図９の上包フィルム２を折りたたむことにより図１０及び図１１の外部パッケージ２Ａが得られる。つまり、図９において、上包フィルム２の向かって左の第１襟部２ｉと向かって右の第２襟部２ｊをいわゆる左襟合わせしてシールすることにより合わせ目が縦に走る襟合わせシール部分２Ａ２（図１０）が形成され、上下の耳部２ｇ、２ｈを折りたたむことにより折りたたみシール部分２Ａ１、２Ａ１（図１０）が形成される。
【００２８】
展開状態の図９から分かるように、上包フィルム２の表面（内面）には、別体の長尺な開封テープ３が接着されている。この開封テープ３は現在種々のプラスチック等の包装体フィルムを開封するために使われている周知のものである。この開封テープ３は先端に舌片状の把持部３ａを有する。この把持部３ａは上包フィルム２の図９中左端の第１襟部２ｉから左方へ突出している。図１０の外部パッケージ２Ａにおいて、この開封テープ３における把持部３ａを図１０中左方向に引っ張ると、前記開封テープ３の縁２ｋに沿って上包フィルム２が切り裂かれる。つまり、この切り裂き動作は、図１０では、上包フィルム２をいわゆる左前に襟合わせしているので、右回りに行われる。つまり、開封テープ３は、外部パッケージ２Ａにおける天面２ｅと側面２ａ、２ｂ、２ｃ、２ｄがなす稜線３ｈ、３ｉ、３ｊ、３ｋの近傍を部分的に切り裂くことが可能であるが、通常の開封動作としての途中まで切り裂いた状態が図１２に示される。
【００２９】
上述の図９の上包フィルム２を折りたたむことにより図１０、図１１に示す外部パッケージ２Ａが得られる。つまり、この外部パッケージ２Ａは、その側面２ａ、２ｂを手前側にした斜視説明図が図１０に、側面２ｂ、２ｃを手前側とした斜視説明図が図１１にそれぞれ示される。図１０及び図１１から分かるように、この外部パッケージ２Ａは、４つの側面２ａ、２ｂ、２ｃ、２ｄ、天面２ｅ、底面２ｆの６面を有するものとして構成されている。外部パッケージ２Ａにおいてはその側面２ａ、側面２ｂ、側面２ｃ、側面２ｄを周回するように開封テープ３が位置することになる。特に、図１０から分かるように、開封テープ３は、先端部分（把持部）３ａが側面２ａに位置する。この開封テープ３は喫煙者が把持部３ａを引っ張ることによりその縁２ｋに沿って上包フィルム２を切り裂くことになる。さらに、既存のように、前記開封テープ３としては印刷により色付きのものとして、開封動作時の視覚的な案内を行わせる物を採用することもできる。
【００３０】
つまり、図１０の外部パッケージ２Ａの未開封の状態において、従来と同様に、把持部３ａを指でつまんで右回りに引っ張ると、開封テープ３は、上包フィルム２の側面２ａ、２ｂ、２ｃを連続的に切り裂きながら右回りに回動し、やがて中間部分３ｂ（図１２）に至る。この中間部分３ｂのすぐ後方には前記封かん紙５が位置することになるため、普通の力で引っ張っている時には、指に大きな抵抗を感じ、開封テープ３の切り裂き動作を容易に止めることができる。この状態においては、図１２から分かるように、開封テープ３は基端側が上包フィルム２にくっついたままの状態となり、外部パッケージ２Ａから外れることはない。なお、この図１１、図１２では理解を容易とするため前記封かん紙５は示していない。この切り裂き動作によって、上包フィルム２による外部パッケージ２Ａの天面２ｅの一部が内部蓋体６ｅ１として切り離されて、たばこ取り出し口２ｇが開口される。この外部蓋体２ｅ１は、図１４から分かるように、残存側をヒンジとして持ち上げ持ち下げの起伏動作をさせることができる。なお、図１４のように封かん紙５を持ち上げた状態においては、図１２から分かるように前記開封テープ部分３を終端部３ｃまで開封動作させることができる。この終端部３ｃのところで開封動作を止めれば、開封テープ３を上包フィルム２にくっついたままの状態とでき、さらに強く引っ張れば開封テープ３を上包フィルム２から切り離して、外部パッケージ２Ａの天面部分を全部取り外すことができる。
【００３１】
このように構成した外部パッケージ２Ａで、前記内部パッケージ６Ａを包装した前記中間パッケージ９Ａを包装する。この際、任意の手段で、前記開封テープ３の先端部分９ａを、外部パッケージ２Ａの上包フィルム２を貫通させ、先端部分９ａを外部パッケージ２Ａの外部に気密状態に引き出しておく。
【００３２】
また、外部パッケージ２Ａの内部に前記内部パッケージ６Ａの開封ひも４をその先端部分９ａも含めて気密状態に閉じ込めるように包装することもできる。この場合には、簡単な構造で、外部パッケージ２Ａが内部パッケージ６Ａを完全な防湿状態にパックできることになる。この実施形態の場合には、前記先端部分９ａを前記開封テープ３の開封開始部分の近傍に位置させておき、喫煙時には、前記開封テープ３を少し開封し、その状態で前記開封ひも４の先端部分４ａを引き出し、この先端部分４ａを前記開封テープ３と共に引っ張ることができるようにすればよい。
【００３３】
以上には、内部パッケージ６Ａにおける開封動作と、外部パッケージ２Ａにおける開封動作とを、別々に説明したが、実際は図１３等から分かるように、それらの動作は同時に行われる。よって、この実際の開封動作を以下に説明する。
【００３４】
即ち、前に述べたように、図１３から分かるように、開封テープ３の把持部３ａと、開封ひも４の先端部分４ａとは、互いに接着されている。このため、把持部３ａを引っ張ると、両者は同時に引っ張られる。これにより、図１３に示すように、内部パッケージ６Ａの切り裂き動作と、外部パッケージ２Ａの切り裂き動作が、同時に行われ、内部蓋体６ｅ１と外部蓋体２ｅ１とがそれぞれ内部パッケージ６Ａ、外部パッケージ２Ａから部分的に切り離される。この後、図１４に示すように封かん紙５の側面部５ａを外部パッケージ２Ａから剥がして立ち上げ、この後、図１５から分かるように、内部蓋体６ｅ１、外部蓋体２ｅ１、開封ひも４及び開封テープ３を折りたたんで封かん紙５と外部パッケージ２Ａの天面６ｅとの間に収納し、再度封かん紙５を立ち下げて外部パッケージ２Ａの側面２ａに封止する。これにより、喫煙開始時に、ごみ片を一切出すことなく、紙巻きたばこＣをソフトパック１から取り出し得る状態とすることができる。
【００３５】
以上には、図１２から分かるように、開封テープ３を途中の中間部分３ｂまで開封した場合について説明したが、開封テープ３を図１４の終端部３ｃまで開封して、外部パッケージ２Ａの天面６ｅを完全に切り取ることもできる。この場合には、内部パッケージ６Ａの内部蓋体６ｅ１を封かん紙５と内部封かん紙９Ｂとの間に挟み込むという使い方をすれば良い。
【００３６】
上述したところから分かるように、本発明の実施形態によれば、透明なプラスチック等のフィルムによる外部パッケージ２Ａの天面部分は、開封テープ３により、部分的に切り裂いて封かん紙５の下にたたみ込むことも、完全に切り取ることもできる。また、アルミ紙による内部パッケージ６Ａの天面部分は、開封テープ３により部分的に切り裂いて封かん紙５の下にたたみ込むことも、途中まで開封テープ３により切り裂きその後手で完全に切り取ることもできる。而して、一般に喫煙者は種々の開封形態でソフトパックを開封している。しかるに、上述したところから分かるように、本発明の実施形態のたばこ等の包装体によれば、種々の開封形態を採ることが出来る。このため、本発明の実施形態によれば、各種の喫煙者に対して汎用性を高いソフトパックを提供することができる。
【図１】
2018167881.tif 000003
【図２】
2018167881.tif 000004
【図３】
2018167881.tif 000005
【図４】
2018167881.tif 000006
【図５】
2018167881.tif 000007
【図６】
2018167881.tif 000008
【図７】
2018167881.tif 000009
【図８】
2018167881.tif 000010
【図９】
2018167881.tif 000011
【図１０】
2018167881.tif 000012
【図１１】
2018167881.tif 000013
【図１２】
2018167881.tif 000014
【図１３】
2018167881.tif 000015
【図１４】
2018167881.tif 000016
【図１５】
2018167881.tif 000017